(57)【要約】  本発明は、導波管平面上にイメージを提示するためのレーザ・プロジェクタに関連する。プロジェクタが、多色光ビーム１１又は複数の狭い波長の光ビーム１１Ａ、１１Ｂ、１１Ｃを放出することができるレーザ源１０、１０Ａ、１０Ｂ、１０Ｃと、光源によって放出された光を導波管平面の異なる瞳孔１６Ａ、１６Ｂ、１６Ｃまで誘導するための案内要素１２Ａ，１２Ｂとを備え、導波管平面内で異なる瞳孔が互いを基準としてずらされる。本発明はまた、このようなプロジェクタを備えるパーソナル・ディスプレイ・デバイスに関連する。
2021508079.tif 000002
【特許請求の範囲】
【請求項１】
導波管平面上にイメージを提示するためのレーザ・プロジェクタであって、
複数の狭い波長の光ビームを放出することができるレーザ源と、
前記レーザ源によって放出された光を前記導波管平面の異なる瞳孔まで誘導するための案内要素であって、前記導波管平面内で前記異なる瞳孔が互いを基準としてずらされる、案内要素と
を備え、
前記レーザ源及び前記案内要素が、前記導波管平面上で空間的に分離されて前記異なる瞳孔の中に入る少なくとも３つの狭い波長のビームを作るように適合され、
前記レーザ源及び前記案内要素が、前記狭い波長のビームを異なる角度で前記異なる瞳孔まで誘導するように適合され、前記レーザ源が、前記少なくとも３つの狭い波長のビームに対応する少なくとも３つの初期ビームを作るように適合される少なくとも３つの異なるレーザ・サブ・ソースを備え、前記初期ビームが異なる角度で前記案内要素上まで伝播し、前記案内要素が、異なる角度の前記初期ビームをそれぞれ前記異なる瞳孔の方に反射するようにさらに適合される、
レーザ・プロジェクタ。
【請求項２】
前記サブ・ソースが、前記案内要素の方に向けられた、異なるロケーション及び角度にあるレーザ源である、請求項１に記載のプロジェクタ。
【請求項３】
前記レーザ源が、３つのレーザ源と、前記案内要素の方に向かう異なる角度の前記狭い波長のビームを作るように適合されるプリズム・カプラとを備える、請求項１又は２に記載のプロジェクタ。
【請求項４】
前記案内要素が１つ又は複数のマイクロ電気機械ミラーを備える、請求項１から３までのいずれか一項に記載のプロジェクタ。
【請求項５】
前記案内要素が、前記イメージを形成することを目的として前記入力瞳孔内の異なるロケーション上にスキャニング・ビームを作るように移動可能である、請求項１から４までのいずれか一項に記載のプロジェクタ。
【請求項６】
前記異なる瞳孔が前記導波管平面上で互いに直線状に又は三角形に位置し、互いに重なり合わない、請求項１から５までのいずれか一項に記載のプロジェクタ。
【請求項７】
回折パーソナル・ディスプレイ・デバイスであって、
導波管平面を有し、前記導波管平面の中で互いからずらされる少なくとも３つの入力瞳孔を備える回折導波管と、
少なくとも３つの狭い波長の光ビームを前記入力瞳孔に投射するためのプロジェクタと
を備え、
前記プロジェクタが請求項１から６までのいずれか一項に記載のプロジェクタである、
回折パーソナル・ディスプレイ・デバイス。
【請求項８】
前記導波管が少なくとも３つの導波管層を備え、前記入力瞳孔が異なる層に位置する、請求項７に記載のデバイス。
【請求項９】
各入力瞳孔が回折用の入力部回折格子を備え、前記導波管が、使用者に対して多色イメージを提示するために互いに位置合わせされる複数の出力部回折格子をさらに備える、請求項７又は８に記載のデバイス。
【発明の詳細な説明】
【技術分野】
【０００１】
本発明は、回折導波管ディスプレイに関する。詳細には、本発明は、回折導波管ベースのパーソナル・ディスプレイのためのプロジェクタに関する。
【背景技術】
【０００２】
既知の導波管ディスプレイでは、示されることになるイメージがそれを通って伝播する導波管要素は、単層又は複層の導波管であり得る。イメージ全体すなわち全波長及びその視野（ＦＯＶ）全体を単一の導波管の中に入力して運搬することが知られている。また、要素のＦＯＶを増大させるために、イメージの波長を異なる層に分離することが知られている。この事例では、層の各々が、互いの上に配置されて特定の波長範囲のみを対応する導波管層へと回折し、残りの波長を下にある層まで通過させるように設計される別個の入力部回折格子（ｉｎ−ｃｏｕｐｌｉｎｇ  ｇｒａｔｉｎｇ）を含む。しかし、このようなシステムの性能は、特に、レーザベースのイメージ・プロジェクタでは最適でない。
【発明の概要】
【発明が解決しようとする課題】
【０００３】
本発明の目的は、従来技術の欠陥のうちの少なくとも一部の欠陥を解決すること、並びに新規の回折導波管要素及びそのためのプロジェクタを提供することである。
【課題を解決するための手段】
【０００４】
本発明は、多様な波長を有しており、導波管平面上で空間的に分離されて導波管の異なる瞳孔の中に入る少なくとも３つの狭い波長のビームを作るという発想に基づくものである。
【０００５】
具体的には、本発明は独立請求項の記載内容によって特徴付けられる。
【０００６】
一態様によると、導波管平面上にイメージを提示するためのレーザ・プロジェクタが提供される。プロジェクタが、多色光ビーム又は複数の狭い波長の光ビームを放出することができるレーザ源と、光源によって放出された光を導波管平面の異なる瞳孔まで誘導するための案内要素とを備え、導波管平面内で異なる瞳孔が互いを基準としてずらされ、ここでは、レーザ源及び案内要素が導波管平面上で空間的に分離されて上記異なる瞳孔の中に入る少なくとも３つの狭い波長のビームを作るように適合され、ここでは、レーザ源及び案内要素が上記狭い波長のビームを異なる角度で上記異なる瞳孔まで誘導するように適合され、ここでは、レーザ源が、上記少なくとも３つの狭い波長のビームに対応する少なくとも３つの初期ビームを作るように適合される少なくとも３つの異なるレーザ・サブ・ソースを備え、初期ビームが異なる角度で案内要素上まで伝播し、案内要素が、異なる角度の初期ビームをそれぞれ上記異なる瞳孔の方に反射するようにさらに適合される。
【０００７】
別の態様によると、互いの上に積層される少なくとも３つの導波管層を備える導波管を備える導波管ディスプレイ要素が提供される。さらに、各導波管層に連結されて層の平面上で互いを基準としてずらされる回折用の入力部回折格子であって、この回折用の入力部回折格子が、導波管に結合される異なる光波長範囲のための入力瞳孔を形成する、回折用の入力部回折格子と、多色光イメージを形成するために瞳孔を通して入力されて層の中を伝播する光を導波管から出力するための回折出力手段とが提供される。
【０００８】
導波管平面内で又は導波管の層の平面内で互いを基準としてずらされるというのは、導波管（層）の法線に対して横の方向におけるずれを意味する。
【０００９】
別の態様によると、回折導波管要素及び上記の種類のレーザ・プロジェクタを備えるパーソナル・ディスプレイ・デバイスが提供される。プロジェクタが、３つの異なる波長チャンネルを使用して導波管の入力瞳孔に３つのイメージを提供するように適合される。
【００１０】
本発明は有利な利益を提供する。各原色が別個の導波管内で伝播させられるような導波管構造では、これに応じる形で、入力瞳孔に入る光が分離されなければならない。これは、導波管の入力部回折格子が、導波管内部を伝播する波長（色）に加えて、導波管を通過する必要がある色を基準として、最適化されなければならない。レーザなどの狭帯域の光源を使用する場合、導波管を機能的に最適化するときに光の狭帯域の特性が完全には利用され得ない、ということになる。各原色のための別個の入力部回折格子を使用することによりこの欠陥が取り除かれることになる。その理由は、原色はそれぞれの導波管に入るときに既に分離されているからである。それにより、導波管構造の最適化において行う必要のある妥協が低減され、それによりシステムの全体の性能が向上する。
【００１１】
したがって、入力瞳孔を導波管平面内で空間的に分離することにより、高い効率で及び収差を最小にしてすべての色が導波管に結合されることが保証される。最も遠い層まで進んだ波長は他の色の入力部回折格子を通過する必要がなく、それにより、ビーム分裂及び迷光波（ｓｔｒａｙ  ｗａｖｅ）が完全に回避される。また、本発明の実施例により導波管層を通過することが回避され得、それにより、表面反射及び吸収損失が回避される。
【００１２】
この導波管要素は、頭部装着型ディスプレイ（ＨＭＤ：Ｈｅａｄ−ｍｏｕｎｔｅｄ  ｄｉｓｐｌａｙ）及びヘッドアップ・ディスプレイ（ＨＵＤ：ｈｅａｄ−ｕｐ  ｄｉｓｐｌａｙ）などの、パーソナル・ディスプレイ・デバイスに適する。
【００１３】
本明細書で開示されるレーザ・プロジェクタは本明細書で開示される導波管要素にとって理想的である。また、本明細書で開示されるレーザ・プロジェクタは、１つ又は複数の小さいレーザ源及び１つ又は複数のＭＥＭＳミラーを使用して小さい空間内に実装され得る。
【００１４】
適切な回折格子デザイン及び／又はソフトウェア修正により、提案される幾何形状によって生じるイメージ収差が取り除かれ得る。
【００１５】
従属請求項が本発明の選択される実施例を対象とする。
【００１６】
次いで、添付図面を参照して、本発明の実施例及びその利点をより詳細に考察する。
【図面の簡単な説明】
【００１７】
【図１Ａ】プロジェクタ及び導波管を示す側断面図の例である。
【図１Ｂ】本発明によるプロジェクタ及び導波管を示す側断面図である。
【図１Ｃ】プロジェクタ及び導波管を示す側断面図の別の例である。
【図１Ｄ】本発明によるプロジェクタ及び導波管を示す別の側断面図である。
【図１Ｅ】プロジェクタ及び導波管を示す側断面図の別の例である。
【図１Ｆ】本発明によるプロジェクタ及び導波管を示す別の側断面図である。
【図２Ａ】代替的な入力瞳孔構成を示す上面図である。
【図２Ｂ】代替的な入力瞳孔構成を示す上面図である。
【図３】入力瞳孔の１つの考えられる照射スキームを示す詳細図である。
【発明を実施するための形態】
【００１８】
図１Ａが、実質的に同じ経路に沿って伝播する３つの波長を含む初期の多色ビームを放出するレーザ源１０を有する実例を示す。初期ビーム１１が、回折格子をその上に含むミラー１２Ａに当たる。回折格子を有するミラー１２Ａが、異なる波長を異なる角度に単色ビーム１３Ａ、１３Ｂ、１３Ｃとして回折する。単色ビーム１３Ａ、１３Ｂ、１３Ｃが、導波管要素２０の横方向にずらされる入力瞳孔１６Ａ、１６Ｂ、１６Ｃに当たる。要素２０が、互いの上に積層される３つの導波管層１４Ａ、１４Ｂ、１４Ｃを含む。それぞれの層１４Ａ、１４Ｂ、１４Ｃの表面の上に回折格子を提供することにより入力瞳孔１６Ａ、１６Ｂ、１６Ｃが形成され、これらの回折格子が、ビーム１３Ａ、１３Ｂ、１３Ｃの波長を層１４Ａ、１４Ｂ、１４Ｃにそれぞれ結合するように選択される。
【００１９】
この実例では、層１４Ａ、１４Ｂ、１４Ｃが異なる被覆率を有し、その結果、ビーム１３Ａ、１３Ｂ、１３Ｃが入力部回折格子に直接にアクセスするようになる。
【００２０】
導波管層１４Ａ、１４Ｂ、１４Ｃでは、光は、出力構成１８によって出力されない限り、伝播することになり、出力構成１８が、通常、各層のための別個の出力部回折格子を備える。出力部回折格子が互いに位置合わせされ、それにより、多色イメージが使用者５０によって見られ得る。
【００２１】
ミラー１２Ａが好適には、レーザ源１０のアウトプットと同期して入力瞳孔上のイメージ・エリア全体にわたってビーム１３Ａ、１３Ｂ、１３Ｃをスキャンするように構成される可動のマイクロ電気機械（ＭＥＭＳ：ｍｉｃｒｏｅｌｅｃｔｒｏｍｅｃｈａｎｉｃａｌ）ミラーである。
【００２２】
図１Ｂが、別個のレーザ源１０Ａ、１０Ｂ、１０Ｃからの３つの単色ビーム１１Ａ、１１Ｂ、１１Ｃが異なる角度でミラー１２Ｂの方に伝播する実施例を示す。ミラー１２Ｂがそれぞれの入力瞳孔１６Ａ、１６Ｂ、１６Ｃの方にビーム１３Ａ、１３Ｂ、１３Ｃの方向を変える。この実例では、ミラー１２Ｂが回折格子を有する必要はないが、例えば、普通の反射ＭＥＭＳミラーが使用され得る。
【００２３】
図１Ｃが、多色光源１０及び３つの別個のミラー２２Ａ、２２Ｂ、２２Ｃが使用される実例を示す。第１の２つのミラー２２Ａ、２２Ｂが部分的な透過性を有し、選択される波長のみを反射する。ミラー２２Ａ、２２Ｂ、２２Ｃが入力瞳孔２６Ａ、２６Ｂ、２６Ｃに位置合わせされる場合、反射ビーム１３Ａ、１３Ｂ、１３Ｃが互いに平行であり、等しい角度で入力部回折格子に接触する。具体的には、スキャニング・ビームの中心光線が直角で入力瞳孔２６Ａ、２６Ｂ、２６Ｃに接触するように構成され得る。
【００２４】
さらに、３つの別個のレーザ源／対のミラーが使用され得る。
【００２５】
図１Ｄが図１Ｂのセットアップの変形形態を示す。３つの別個のレーザ源は本明細書ではミラー１２Ｂを直接には標的としておらず、最初に、角柱梁コンバイナなどのビーム・コンバイナ１９を標的としている。多色レーザ源で使用される普通のコンバイナとは異なり、アウトプット・ビーム１１Ａ、１１Ｂ、１１Ｃが重なり合うようには構成されず、異なる角度でミラー１２Ｂを標的とするように構成される。
【００２６】
図１Ｅが、図１Ａの実例と等しい、プロジェクタ部分のための実例を示すが、導波管３０が３つの完全な層を備え、３つの完全な層が入力瞳孔２６Ａ、２６Ｂ、２６Ｃの領域で重なり合う。第１の入力瞳孔２６Ａが第１のビーム１３Ａによって直接にアクセス可能であるが、他の入射ビーム１３Ｂ、１３Ｃがそれぞれ導波管層２４Ａ、２４Ａ／２４Ｂを通過し、光路上に留まり、その後、入力瞳孔２６Ｂ、２６Ｃの入力部回折格子に当たる。
【００２７】
図１Ｆが、プロジェクタがスキャニング・タイプではなく、可動ミラーを必要とせず、固定ミラーを必要とするか、又はミラーを一切有さない、実施例を示す。イメージ・プロジェクタ６０が、一度にイメージ全体を提示することができる広域プロジェクタである。ここで本発明の多瞳孔導波管（ｍａｎｙ−ｐｕｐｉｌ  ｗａｖｅｇｕｉｄｅ）３０に適用されると、プロジェクタが、その投射フィールド内で、互いにずらされて入力瞳孔２６Ａ、２６Ｂ、２６Ｃを標的とする選択される導波管チャンネルに対応する３つの別個のイメージを放出する。ミラー２２は必須ではなく、プロジェクタ６０は入力瞳孔２６Ａ、２６Ｂ、２６Ｃを直接に標的としてもよい。上でより詳細に考察したスキャニング・レーザの実例と同様に、導波管チャンネルの各々のための別個のイメージ源又はプロジェクタが存在してもよい。
【００２８】
図１Ｆの基本セットアップ、つまり広域イメージ・コーンの別個のセクションを標的とする多様な波長が、レーザ・プラス・ＭＥＭＳミラー・プロジェクタのようなスキャニング・プロジェクタと共にも使用され得る。
【００２９】
図２Ａ及び２Ｂが、それぞれの導波管層１４Ａ、１４Ｂ、１４Ｃの入力瞳孔１６Ａ、１６Ｂ、１６Ｃのための２つの代替の配置スキームを示す。図２Ａでは、入力瞳孔が直線状に配置されて、図２Ｂでは三角形に配置される。いずれの場合も、それらの回折格子の向き及び／又は導波管内の中間光学要素が、層１４Ａ、１４Ｂ、１４Ｃの出力部回折格子１８Ａ、１８Ｂ、１８Ｃまで光が誘導されることになるように、選択され得る。直線状及び三角形以外の他の構成も可能である。
【００３０】
異なる可能性を例示するために、図２Ｂの入力瞳孔の形状が、図２Ａの円形状とは異なり、長方形である。また、要素内の入力瞳孔のサイズも異なっていてよい。これは、例えば、プロジェクタ・ミラーからの入力瞳孔の距離が多様であること及びこれを理由としてより距離の離れた入力瞳孔において「ライト・コーン」が拡大することを考慮すると、有利である。
【００３１】
いくつかの実施例では、入力瞳孔の形状が補正される投射角であり、例えば、楕円又は曲げられた長方形の形状を有する。
【００３２】
図３が、図１Ａ、１Ｂ、１Ｄ、１Ｅ、及び１Ｆの実施例の事例の入力瞳孔の図を示す。入射する中央ビーム１３Ａ、１３Ｂ、１３Ｃが角度１７Ａ、１７Ｂ、１７Ｃで入力瞳孔１６Ａ、１６Ｂ、１６Ｃにそれぞれ到着する。これらの角度のうちの１つの角度が直角であってよいが、角度のうちの少なくとも２つの角度が直角であってはならない。特には、いずれの場合も入射光線１３Ａ、１３Ｂ、１３Ｃの間に角度が存在する。これにより、入射光の中央ビームの視野角が入力瞳孔の各々で異なるようになる。これを補償するために、入力瞳孔１６Ａ、１６Ｂ、１６Ｃの入力部回折格子が異なっていてよく、出力されるイメージの強度を維持するように入力光のＦＯＶを補正するように構成され得る。
【００３３】
収差の別の原因は入力瞳孔の遠位側エリアの方にイメージが伸びることであり、つまり、ビーム・スキャニング（スキャニング・レーザ・プロジェクタ）中に又は広域イメージ（広域プロジェクタ）の遠位側エリアにおいて角度が小さくなることが理由である。例として、角度１７Ｃ’の遠位側の光線１３Ｃ’が入力瞳孔１６Ｃに示される。この収差は、投射されることになるイメージに対して対応する修正を行って伸びを補償することにより、プロジェクタ端部で、通常はソフトウェア修正として、補正され得る。
【００３４】
図１Ｃの実施例では、ＦＯＶ変位エラーが存在しない。つまり、中央光線の角度１７Ａ、１７Ｂ、１７Ｃが９０度であるが、延びの問題（角度１７Ｃ’）が小さい程度に留まり、同様の形で補正され得る。
【００３５】
示される２つの導波管要素の種類のいずれも、本明細書で考察されるプロジェクタ構成のうちの任意の構成と共に使用され得る。
【００３６】
次に、本発明の実施例を要約する。実施例は自由に組み合わされ得る。
【００３７】
いくつかの実施例では、入力部回折格子のうちの少なくとも２つの入力部回折格子が導波管層の間に配置され、導波管層が入力部回折格子をカバーしており、それにより光が入力部回折格子まで通過することが可能となる。これには、要素が一定の厚さを有するという利点がある。
【００３８】
いくつかの実施例では、導波管層が多様な面内被覆率を有し、入力部回折格子の各々がそれぞれの導波管層の表面の上で要素の外側表面上に位置する。介在する層が存在しないことを理由として、これにより入力効率が最大となる。異なるサイズの層を提供することにより及び／又は下にある層の入力瞳孔のロケーションにおいて上部層にアパーチャを提供することにより、異なる被覆率が実現され得る。
【００３９】
入力瞳孔は等しいサイズ及び形状である必要はない。
【００４０】
いくつかの実施例では、レーザ源及び案内要素が、狭い波長のビームを異なる角度で異なる入力瞳孔まで誘導するように適合され、入力瞳孔における入力部回折格子が、各入力瞳孔において異なる中心角で到着することになるビームを入力し、視野変位の補正を入力光に対して行うように、構成される。回折格子のマイクロ構造の適切なデザインによって補正が行われ得、その結果、効果的に、各入力瞳孔において等しい視野が導波管に結合されることになる。
【００４１】
いくつかの実施例では、レーザ源及び案内要素が、互いに空間的にずらされた平行なビームとして狭い波長のビームを入力瞳孔まで誘導するように適合され、入力瞳孔が、等しい角度で導波管層に到着することになる光を入力するように構成される。この事例では、ＦＯＶ変位の補正が必要ない。しかし、入力瞳孔の遠位側エリアの方へのイメージの伸びが、好適には、上で考察したように、補正される。
【００４２】
いくつかの実施例では、入力瞳孔が導波管の平面内で互いに直線状に又は三角形に位置し、互いに重なり合わない。
【００４３】
いくつかの実施例では、入力部回折格子の各々が、回折格子周期及び／又は回折格子を有するマイクロ構造プロフィールに関して、他の入力部回折格子とは異なる。これにより、光の伝播特性を個別に最適化することが可能となる。例えば、異なる導波管の伝播のホップ長が、単一の回折格子のみを使用するような状況と比較して互いにより接近するように調整され得る。
【００４４】
いくつかの実施例では、レーザ源が多色ビームを作るように適合され、案内要素が狭い波長のビームを多色ビームから分離するように適合される。いくつかの実施例では、案内要素が、導波管平面の方に向かう異なる角度となるように、多色ビームから少なくとも３つの狭い波長のビームを分離することができる格子を有するミラーを備える。
【００４５】
いくつかの実施例では、レーザ源が、狭い波長のビームに対応する少なくとも３つの初期ビームを作るように適合される少なくとも３つの異なるレーザ・サブ・ソースを備え、初期ビームが異なる角度で案内要素の上まで伝播し、案内要素が、それぞれ異なる角度で異なる領域の方に向かうように初期ビームを反射するようにさらに適合される。いくつかの実施例では、サブ・ソースが、案内要素の方に向けられた、異なるロケーション及び角度にあるレーザ源である。代替的実施例では、レーザ源が、３つのレーザ源と、案内要素の方に向かう異なる角度の狭い波長のビームを作るように適合されるプリズム・カプラとを備える。
【００４６】
いくつかの実施例では、案内要素が１つ又は複数のマイクロ電気機械ミラーを備える。いくつかの実施例では、ミラーが、イメージを形成することを目的として入力瞳孔内の異なるロケーション上にスキャニング・ビームを作るように移動可能である。
【００４７】
いくつかの実施例では、異なる入力瞳孔が導波管平面上で互いに直線状に又は三角形に位置し、互いに重なり合わない。
【００４８】
いくつかの実施例では、レーザ・イメージ・プロジェクタが、同時に又は交互に異なる波長のレーザ・ビームを用いて入力瞳孔をスキャンするように構成されるスキャニング・レーザ・ビーム・プロジェクタである。代替的実施例では、レーザ・イメージ・プロジェクタが、入力瞳孔に対して異なる波長のサブ・イメージを同時に提示するように構成されるラージ・エリア・プロジェクタである。
【００４９】
いくつかの実施例では、各入力瞳孔が回折用の入力部回折格子を備え、導波管が、使用者に対して多色イメージを提示するために互いに位置合わせされる複数の出力部回折格子をさらに備える。
【００５０】
いくつかの実施例では、プロジェクタのためのドライバが提供され、ドライバが、案内要素によって狭い波長のビームの空間的な分離により生じるようなつまり中央ビームを基準として遠位側ビームの間の偏向により生じるようなストレッチ及び／又は強度収差などの、イメージ収差を補正するためのソフトウェア手段を備える。
【００５１】
本発明の実例は、ニアアイ・ディスプレイ（ＮＥＤ：ｎｅａｒ−ｔｏ−ｔｈｅ−ｅｙｅ  ｄｉｓｐｌａｙ）のような、拡張現実感（ＡＲ：ａｕｇｍｅｎｔｅｄ  ｒｅａｌｉｔｙ）デバイス、仮想現実（ＶＲ：ｖｉｒｔｕａｌ  ｒｅａｌｉｔｙ）デバイス、及び複合現実感（ＭＲ：ｍｉｘｅｄ  ｒｅａｌｉｔｙ）デバイス、並びに他の頭部装着型ディスプレイ（ＨＭＤ）、さらにはヘッドアップ・ディスプレイ（ＨＵＤ）、などの、多様なパーソナル・ディスプレイ・デバイスにおいて、それらの多様な形態で、利用され得る。
【００５２】
本明細書で詳細には考察されなくても、導波管及びその個別の層が、入射部回折格子及び出力部回折格子に加えて、射出瞳孔拡大装置の回折格子（ｅｘｉｔ  ｐｕｐｉｌ  ｅｘｐａｎｄｅｒ  ｇｒａｔｉｎｇ）又はビーム方向変化回折格子などの、他の回折光学要素も含むことができる。
【図１Ａ】
2021508079.tif 000003
【図１Ｂ】
2021508079.tif 000004
【図１Ｃ】
2021508079.tif 000005
【図１Ｄ】
2021508079.tif 000006
【図１Ｅ】
2021508079.tif 000007
【図１Ｆ】
2021508079.tif 000008
【図２Ａ】
2021508079.tif 000009
【図２Ｂ】
2021508079.tif 000010
【図３】
2021508079.tif 000011
【国際調査報告】
2021508079.tif 000012
2021508079.tif 000013
2021508079.tif 000014
2021508079.tif 000015
2021508079.tif 000016
2021508079.tif 000017
2021508079.tif 000018
2021508079.tif 000019
2021508079.tif 000020
2021508079.tif 000021
2021508079.tif 000022
2021508079.tif 000023
2021508079.tif 000024
2021508079.tif 000025
2021508079.tif 000026